(57)【特許請求の範囲】
【請求項１】
枠体に対して屋内外方向に回動自在に支持される面材の開放移動を規制して閉鎖状態を維持する閉鎖維持装置であって、
前記枠体を構成する枠材に対して着脱自在に設けられる規制部材を備え、
前記規制部材は、前記枠体の屋内側から着脱操作可能な操作部と、この操作部よりも屋外側に設けられる規制部と、前記枠体に係止可能な係止部とを有して形成され、
前記枠材は、見込み方向に沿った枠見込み面部と、この枠見込み面部よりも見付け方向内側に延びる枠見付け面部と、この枠見付け面部よりも屋内側に設けられて見付け方向に沿った枠係止面部とを有し、前記面材は、閉鎖状態において、前記枠見付け面部に屋内側から対向するとともに気密材を介して当該枠見付け面部に当接可能な面材見付け面部を有して構成されており、
前記面材の閉鎖状態において、前記枠体の屋内側から前記係止部を前記枠係止面部に係止させるとともに、前記規制部を前記面材見付け面部の屋内側に当接させることで、当該面材の見込み方向屋内側への回動を規制可能に構成される閉鎖維持装置。
【請求項２】
前記規制部材は、樹脂製の一体成形部材で構成されている請求項１に記載の閉鎖維持装置。
【請求項３】
枠体と、この枠体に対して屋内外方向に回動自在に支持される面材と、請求項１または請求項２に記載の閉鎖維持装置とを備えた建具であって、
前記面材の閉鎖状態において、前記枠体の屋内側から前記係止部が前記枠係止面部に係止されて前記規制部材が前記枠材に取り付けられ、前記面材見付け面部の屋内側に前記規制部が当接することで、当該面材の見込み方向屋内側への回動が規制される建具。
【請求項４】
前記枠係止面部は、前記枠見込み面部から見付け方向内側に突出するとともに前記枠材の長手方向に沿って延びる突条の屋外側面で構成され、
前記規制部材の係止部は、前記突条を受け入れ可能な係止溝を有して構成され、
前記突条には、前記規制部材を見込み方向に挿通可能な切欠きが形成されている請求項３に記載の建具。
【請求項５】
前記枠見付け面部には、前記気密材よりも見付け方向外側にて前記枠見込み面部に対向して見込み方向屋内側に延びる対向面部が形成され、
前記規制部材には、前記対向面部に当接可能な当接部が形成されている請求項３または請求項４に記載の建具。
【発明の詳細な説明】
【技術分野】
【０００１】
本発明は、枠体に開閉自在に支持された面材の開放移動を規制して閉鎖状態を維持する閉鎖維持装置、この閉鎖維持装置を有した建具に関する。
【背景技術】
【０００２】
従来、枠体に面材が回動開閉自在に支持された外倒し窓等の建具において、工場にて枠体に面材を組み込んでから建設現場にて開閉操作用部品（オペレータ等）を取り付けるまでの間、枠体に対する面材の開放移動を規制して閉鎖状態を維持する閉鎖維持装置が提案されている（例えば、特許文献１参照）。
特許文献１に記載の閉鎖維持装置は、枠体の上枠に係止される係止部片を有した主体枠と、この主体枠の屋外側に形成された支持部片に係合する閉止枠とを備え、主体枠の係止部片を上枠の屋内側の戸当り部片に係止させるとともに屋外側に支持部片を突出させた状態で面材を閉じ、屋外側から支持部片に閉止枠を係合させることで、閉止枠を面材の屋外面に当接させて面材の開放移動を規制するように構成されている。
【先行技術文献】
【特許文献】
【０００３】
【特許文献１】特許第４５４１９８２号公報
【発明の概要】
【発明が解決しようとする課題】
【０００４】
しかしながら、特許文献１に記載されたような従来の閉鎖維持装置では、主体枠が上枠の屋内側に係止され閉止枠が面材の屋外側に位置しているため、工場等にて主体枠に閉止枠を係合させる際に建具の屋内外両側で取付作業を行う必要があり、さらに建設現場にて開閉操作用部品等を取り付けた後に閉鎖維持装置を取り外すためには、閉止枠の係合解除作業を屋外空間で行う必要がある。また、屋外で閉止枠を主体枠から取り外した後に、作業者が屋内空間に移動するか他の作業者が主体枠を保持した状態で面材を開放してから、主体枠を上枠から取り外さなければならない。以上のように、従来の閉鎖維持装置では、取付作業および取外作業の両方が煩雑であるとともに作業時間を要することから、作業効率が著しく低下してしまうという問題がある。
また、従来の閉鎖維持装置では、主体枠が上枠の戸当り部片に係止されて屋外側に延びて設けられることから、戸当り部片に設けられた気密材と面材の間を主体枠が通過することとなる。このため、面材の閉鎖状態において、主体枠が押し付けられた気密材に傷や押し型が付いたり、気密材と面材とに隙間ができたりすることから、気密性や止水性の点で問題となることがある。
【０００５】
本発明の目的は、取り付けおよび取り外しの作業効率を向上させることができるとともに、閉鎖維持状態においても気密性や止水性を確保することができる閉鎖維持装置および建具を提供することにある。
【課題を解決するための手段】
【０００６】
本発明の閉鎖維持装置は、枠体に対して屋内外方向に回動自在に支持される面材の開放移動を規制して閉鎖状態を維持する閉鎖維持装置であって、前記枠体を構成する枠材に対して着脱自在に設けられる規制部材を備え、前記規制部材は、前記枠体の屋内側から着脱操作可能な操作部と、この操作部よりも屋外側に設けられる規制部と、前記枠体に係止可能な係止部とを有して形成され、前記枠材は、見込み方向に沿った枠見込み面部と、この枠見込み面部よりも見付け方向内側に延びる枠見付け面部と、この枠見付け面部よりも屋内側に設けられて見付け方向に沿った枠係止面部とを有し、前記面材は、閉鎖状態において、前記枠見付け面部に屋内側から対向するとともに気密材を介して当該枠見付け面部に当接可能な面材見付け面部を有して構成されており、前記面材の閉鎖状態において、前記枠体の屋内側から前記係止部を前記枠係止面部に係止させるとともに、前記規制部を前記面材見付け面部の屋内側に当接させることで、当該面材の見込み方向屋内側への回動を規制可能に構成されることを特徴とする。
【０００７】
このような本発明によれば、面材の閉鎖状態において屋内側から規制部材を枠体に取り付け、それらの係止部と枠係止面部とを係止させて規制部を面材見付け面部の屋内側に当接させるだけで面材の開放移動を規制することができる。また、規制を解除する際には、屋内側から規制部材を取り外すだけで、面材が開放可能となる。従って、枠体の見込み方向屋内側から規制部材の取付作業および取外作業の両作業を実施することができ、作業効率を飛躍的に向上させることができる。さらに、気密材を介して枠見付け面部と面材見付け面部とが当接した気密ラインよりも屋内側に枠係止面部が設けられ、面材見付け面部の屋内側に規制部を当接させることから、規制部材が気密ラインを跨いで屋外側に延びることがなく、気密材への傷付きなどを防止できるとともに、気密材と枠見付け面部または面材見付け面部とを適正に当接させることができ、閉鎖維持状態における気密性や止水性を確保することができる。
【０００８】
この際、本発明の閉鎖維持装置では、前記規制部材は、樹脂製の一体成形部材で構成されていることが好ましい。
このような構成によれば、規制部材を樹脂製としたことで、枠見込み面部や面材見付け面部への傷付きを防止するとともに、規制状態における面材の振動による音鳴りを防止することができる。さらに、樹脂製の一体成形部材とすることで規制部材の製造コストを低減させることができる。
【０００９】
一方、本発明の建具は、枠体と、この枠体に対して屋内外方向に回動自在に支持される面材と、前記いずれかの閉鎖維持装置とを備えた建具であって、前記面材の閉鎖状態において、前記枠体の屋内側から前記係止部が前記枠係止面部に係止されて前記規制部材が前記枠材に取り付けられ、前記面材見付け面部の屋内側に前記規制部が当接することで、当該面材の見込み方向屋内側への回動が規制されることを特徴とする。
【００１０】
ここで、本発明の建具において、枠体に対する面材の開放形式としては、面材が屋内側に開放される内開き形式や内倒し形式などが採用可能である。
このような本発明によれば、前述の閉鎖維持装置と略同様の効果、すなわち、枠体の見込み方向一方側から規制部材の取り付け作業および取外し作業の両作業を実施して、作業効率を飛躍的に向上させることができるとともに、閉鎖維持状態における気密性や止水性を確保することができる。
【００１１】
この際、本発明の建具では、前記枠係止面部は、前記枠見込み面部から見付け方向内側に突出するとともに前記枠材の長手方向に沿って延びる突条の屋外側面で構成され、前記規制部材の係止部は、前記突条を受け入れ可能な係止溝で構成され、前記突条には、前記規制部材を見込み方向に挿通可能な切欠きが形成されていることが好ましい。
このような構成によれば、枠材の長手方向に沿った突条によって枠係止面部を構成し、この突条を受け入れ可能な係止溝で規制部材の係止部を構成することで、建具のサイズ等に応じて規制部材の取付位置や取付箇所数を適宜に選択することができ、規制部材による規制位置の自由度を高めることができる。さらに、突条に切欠きを形成したことで、屋内側から見込み方向屋外側に向かって規制部材を切欠きに挿通させてから、枠材の長手方向に沿って規制部材を移動させて係止溝と突条とを係止させることができ、取り付けおよび取り外しの作業を容易かつ円滑に実施することができる。
【００１２】
さらに、本発明の建具では、前記枠見付け面部には、前記気密材よりも見付け方向外側にて前記枠見込み面部に対向して見込み方向屋内側に延びる対向面部が形成され、前記規制部材には、前記対向面部に当接可能な当接部が形成されていることが好ましい。
このような構成によれば、規制部材の係止部を枠係止面部に当接させるとともに、当接部を対向面部に当接させることで、枠材に対して規制部材が２箇所で当接して支持されることになり、規制部材の回転を拘束することができる。従って、建具の搬送中や建て込み途中における規制部材の脱落を防止することができ、面材の閉鎖維持状態を適正に維持することができる。
【図面の簡単な説明】
【００１３】
【図１】本発明の実施形態に係る建具を示す正面図である。
【図２】前記建具の一部を拡大して示す縦断面図である。
【図３】前記建具における閉鎖維持装置を示す斜視図である。
【図４】前記閉鎖維持装置の取付手順を示す斜視図である。
【発明を実施するための形態】
【００１４】
以下、本発明の実施形態を図面に基づいて説明する。
図１および図２において、本実施形態の建具としての内倒し窓１は、建物開口部に設けられる枠体としての窓枠２と、この窓枠２で囲まれた内部に開閉自在に支持される面材としての障子１０とを有して構成されている。窓枠２は、それぞれアルミ形材製の上枠３、下枠４および左右の縦枠５を四周枠組みして構成されている。障子１０は、上框１１、下框１２および左右の縦框１３を四周框組みした内部に、ガラスパネル１４を嵌め込んで構成され、下框１２または縦框１３の下部が丁番やリンク機構を介して下枠４または縦枠５に支持され、当該障子１０の上部が見込み方向屋内側（図２の右側）に回動して開放され、窓枠２に向かって見込み方向屋外側（図２の左側）に回動して閉鎖されるようになっている。この内倒し窓１には、障子１０の上部の２箇所において上框１１を上枠３に係止して開放移動を規制し、障子１０の閉鎖状態を維持する閉鎖維持装置２０が設けられている。
【００１５】
図２に示すように、上枠（枠材）３は、屋内側にて見込み方向に沿った枠見込み面部３１と、この枠見込み面部３１よりも屋外側にて見込み方向に沿った屋外見込み面部３２と、枠見込み面部３１と屋外見込み面部３２とを連結して見付け方向内側（下方）に延びる枠見付け面部３３とを有して形成され、枠見付け面部３３の下端部屋内側に形成された気密材保持部３４には、障子１０の上框１１に当接可能な気密材３Ａが保持されている。一方、上框１１は、アルミ形材製の上框本体１１Ａと、この上框本体１１Ａに係合してガラスパネル１４を保持する押縁１１Ｂとを有し、上框本体１１Ａは、障子１０の閉鎖状態において、屋外見込み面部３２の下側に対向する面材見込み面部１１１と、この面材見込み面部１１１の屋内端から立ち上がる面材見付け面部１１２とを有して形成され、この面材見付け面部１１２が枠見付け面部３３に屋内側から対向し、かつ気密材３Ａに当接するようになっている。すなわち、上枠３と上框１１とにおいて、気密材３Ａを介して当接する枠見付け面部３３の下部と面材見付け面部１１２の上部との間に気密ラインが形成され、この気密ライン（気密材３Ａ）よりも屋内側が屋内空間とされ、気密ライン（気密材３Ａ）よりも屋外側が屋外空間とされている。
【００１６】
また、上枠３の枠見込み面部３１には、枠見付け面部３３よりも屋内側にて当該上枠３の長手方向に延び、かつ下向きに突出した突条３５が形成されている。すなわち、突条３５の屋外側側面によって枠見付け面部３３よりも屋内側に対向して見付け方向に沿った枠係止面部３５Ａが構成されている。さらに、枠見付け面部３３の屋内側には、屋内側に突出した気密材保持部３４の上端面からなり、枠見込み面部３１の下側に対向して見込み方向屋内側に延びる対向面部３６が形成されている。すなわち、突条３５、枠見込み面部３１、枠見付け面部３３および対向面部３６によって断面略Ｃ字形に形成され、屋内側かつ下方に開口した枠空間部３７が形成されている。
【００１７】
閉鎖維持装置２０は、樹脂製の一体成形によって形成されるとともに上枠３に対して屋内側から着脱可能な規制部材２０Ａを有して構成され、この規制部材２０Ａは、図３にも示すように、窓枠２の屋内側から着脱操作可能な操作部としての規制本体部２１と、この規制本体部２１から屋外側に突出して延びて上枠３に係止可能な係止部２２とを有して構成されている。規制本体部２１には、その屋外側側面であり見込み方向に交差して延びる（その屋外側側面であり見付け方向に延びる）とともに、面材見付け面部１１２に屋内側から当接可能な規制部２３が形成されている。係止部２２には、その上面にて幅方向（上枠３の長手方向）に沿って延びる係止溝２４と、当該係止部２２の屋外側先端部の下面を凹ませて対向面部３６と当接可能な当接部２５とが形成されている。この係止部２２は、係止溝２４よりも屋外側の上面、屋外側先端面および当接部２５で囲まれた部分が係止挿通部２６とされ、この係止挿通部２６が枠空間部３７に挿通されることで、規制部材２０Ａが上枠３に保持されるようになっている。
【００１８】
以上の閉鎖維持装置２０は、工場等で窓枠２に回動自在に障子１０を組み込んだ内倒し窓１を建設現場に搬送して開口部に建て込んでからオペレータ等の開閉操作部品を取り付けるまでの間、すなわち、窓枠２に対して回動が規制されない間における障子１０の閉鎖状態を維持するためのものであって、建設現場で開閉操作部品が取り付けられて障子１０が開閉操作可能になった後、規制部材２０Ａが内倒し窓１から取り外されるようになっている。この閉鎖維持装置２０は、図４に示す手順で内倒し窓１に取り付けられて障子１０の閉鎖状態を維持する。
【００１９】
先ず、上枠３の突条３５に規制部材２０Ａの係止部２２が屋内外方向に挿通可能な切欠き３５Ｂを形成しておき、窓枠２に組み込んだ障子１０を閉鎖した状態において、図４(Ａ)に示すように、上枠３の枠見込み面部３１に沿って屋内側から規制部材２０Ａを切欠き３５Ｂに挿入する。次に、図４(Ｂ)に示すように、規制部材２０Ａを上枠３の長手方向に沿ってスライドさせ、係止溝２４に突条３５を受け入れるとともに、係止挿通部２６を枠空間部３７に挿通して規制部材２０Ａを上枠３に取り付ける。このようにして規制部材２０Ａの係止部２２を上枠３の突条３５に係止させることで、図２に示すように、規制部２３に対して屋外側から面材見付け面部１１２が当接して屋内側への開放移動が規制され、障子１０が閉鎖状態に維持される。この規制状態で工場等から建設現場に搬送された内倒し窓１が開口部に建て込まれ、その後に開閉操作部品が取り付けられてから規制部材２０Ａが取り外される。内倒し窓１から規制部材２０Ａを取り外す手順としては、上述の取付手順と逆の手順であり、規制部材２０Ａをスライドさせて切欠き３５Ｂまで移動させ、突条３５から係止溝２４を離脱させてから規制部材２０Ａを屋内側に引き抜いて取り外せばよい。
【００２０】
以上のような本実施形態によれば、内倒し窓１の屋内側から規制部材２０Ａを上枠３に取り付けるだけで障子１０の開放移動を規制することができる。一方、屋内側から規制部材２０Ａを取り外すだけで障子１０の規制を解除することができる。従って、内倒し窓１の屋内側から規制部材２０Ａの取り付け作業および取外し作業の両作業を実施することができ、作業効率を飛躍的に向上させることができる。さらに、規制部材２０Ａが枠見付け面部３３よりも屋内側に位置して取り付けられ、この規制部材２０Ａが気密ラインを跨がないことから、気密材３Ａへの傷付きなどを防止できるとともに、気密材３Ａと面材見付け面部１１２とを適正に当接させることができ、閉鎖維持状態における気密性や止水性を確保することができる。
【００２１】
なお、本発明は、前記実施形態に限定されるものではなく、本発明の目的が達成できる他の構成等を含み、以下に示すような変形等も本発明に含まれる。
例えば、前記実施形態においては、内倒し窓１を例示したが、本発明の建具としては、内倒し窓１に限らず、屋内側に回動して開放されるものであればよく、面材における左右いずれか一方の縦辺側が枠体に支持され他方側が開放される内開き窓や、面材における上辺側が支持されて下辺側が開放される窓であってもよい。
【００２２】
また、前記実施形態では、内倒し窓１の上枠３に規制部材２０Ａを取り付けて障子１０の上框１１に規制部２３を当接させる構成としたが、これに限らず、縦枠５に規制部材２０Ａを取り付けて縦框１３に規制部２３を当接させてもよい。すなわち、閉鎖維持装置２０の設置位置や設置箇所数は特に限定されず、面材の戸先側に設けてもよいし、戸先側以外の部位に設けてもよく、設置箇所数としても２箇所に限らず、１箇所でもよいし、３箇所以上であってもよい。
また、前記実施形態では、規制部材２０Ａを樹脂製の一体成形部材としたが、これに限らず、金属等の樹脂以外の材料から規制部材を形成してもよい。なお、規制部材を金属製とする場合には、枠材や面材への傷付きを防止するために、枠材や面材に当接する部分に緩衝材などを設けておくことが望ましい。
また、前記実施形態では、上枠３の突条３５に規制部材２０Ａの係止溝２４を係止させ、突条３５の屋外側面を枠係止面部３５Ａとして構成したが、枠係止面部としては、突条３５によって構成されるものに限らず、上枠３の枠見込み面部３１を凹ませたりクランクさせたりして形成される面で構成されるものであってもよい。
【００２３】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００２４】
１…内倒し窓（建具）、２…窓枠（枠体）、３…上枠（枠材）、３Ａ…気密材、１０…障子（面材）、１１…上框、２０…閉鎖維持装置、２０Ａ…規制部材、２１…規制本体部（操作部）、２２…係止部、２３…規制部、２４…係止溝、２５…当接部、３１…枠見込み面部、３３…枠見付け面部、３５…突条、３５Ａ…枠係止面部、３５Ｂ…切欠き、３６…対向面部、１１２…面材見付け面部。
【図１】
0005507486.tif 000002
【図２】
0005507486.tif 000003
【図３】
0005507486.tif 000004
【図４】
0005507486.tif 000005